【手続補正書】
【提出日】平成26年7月14日(2014.7.14)
【手続補正１】
【補正対象書類名】特許請求の範囲
【補正対象項目名】全文
【補正方法】変更
【補正の内容】
【特許請求の範囲】
【請求項１】
インフレータ、エキゾーストバルブ又はリリーフバルブを膨張性物品の内部に取り付けるためのレシーバアセンブリであって、
前記膨張性物品のファブリックにおける開口の周囲にヒートシールされるよう適合された上部周縁の周囲に形成された一体型の取り付けフランジを有するレシーバであって、前記レシーバの中に前記インフレータ、エキゾーストバルブ又はリリーフバルブの対応する部分を収納するための穴部を備えるレシーバ、及び
前記穴部内の前記インフレータ、エキゾーストバルブ又はリリーフバルブを固定するように前記取り付けフランジに係合するロックキー、
を組み合わせて備えている、レシーバアセンブリ。
【請求項２】
前記レシーバは、前記インフレータ、エキゾーストバルブ又はリリーフバルブの全てを覆うように拡張されたレシーバを備える、請求項１に記載のレシーバアセンブリ。
【請求項３】
前記ロックキーは、前記インフレータ、エキゾーストバルブ又はリリーフバルブを取り外しできるように、取り外しが可能である、請求項１に記載のレシーバアセンブリ。
【請求項４】
前記エキゾーストバルブ及びリリーフバルブは、前記穴部に対して一方向に配置されたときエキゾーストバルブとして機能し、そして前記一方向と反対の方向に配置されたときリリーフバルブとして機能するよう可逆的である、請求項１に記載のレシーバアセンブリ。
【請求項５】
インフレータ、エキゾーストバルブ又はリリーフバルブを膨張性物品の内部に取り付ける方法であって、
前記膨張性物品の内部にレシーバを取り付けるステップであって、前記レシーバが、前記膨張性物品における孔の内部表面にヒートシールされた周縁一体型の取り付けフランジを備え、前記インフレータレシーバが、前記インフレータ、エキゾーストバルブ又はリリーフバルブを取り外し可能に収納するための縦長の中央穴部をさらに備えているステップ、及び
前記インフレータ、エキゾーストバルブ又はリリーフバルブを前記レシーバにロックするステップ、
を含む、方法。
【請求項６】
前記ロックするキーは、前記インフレータ、エキゾーストバルブ又はリリーフバルブを取り外しできるように、取り外しが可能である、請求項５に記載の方法。
【請求項７】
前記穴部でシールするために前記インフレータ、エキゾーストバルブ又はリリーフバルブの当該部分の周囲に配置されたＯリングによって前記穴部内の前記インフレータ、エキゾーストバルブ又はリリーフバルブをシールするステップをさらに含む、請求項５に記載の方法。
【請求項８】
前記インフレータ、エキゾーストバルブ又はリリーフバルブを前記穴部から取り外し可能に前記ロックするキーを取り外すステップをさらに含む、請求項５に記載の方法。
【請求項９】
前記穴部に対して一方向に配置されたときエキゾーストバルブとして機能し、そして前記一方向と反対の方向に配置されたときリリーフバルブとして機能するよう前記エキゾーストバルブ又はリリーフバルブの方向を逆にするステップをさらに含む、請求項８に記載の方法。
【請求項１０】
前記インフレータを覆うために前記レシーバの長さを延ばすステップをさらに含む、請求項５に記載の方法。
【請求項１１】
膨張性物品の内部にインフレータを取り付けるためのレシーバアセンブリであって、
前記膨張性物品の内部に前記インフレータを取り付けるためのレシーバであって、前記膨張性物品における孔の内部表面にシールされるよう適合された周縁一体型の取り付けフランジと、前記インフレータを取り外し可能に収納するための縦長の中央穴部と、を備えるレシーバ、及び
前記インフレータを前記レシーバの前記穴部にロックするためのロックキー、
を組み合わせて備えており、
一度前記レシーバ内に取り付けられると、前記膨張性物品のユーザによって容易に握持して、前記インフレータを手動により始動できるように、前記インフレータのテザージャークハンドルが膨張性物品の外部に延びており、そのため前記インフレータの刺しピンが前記インフレータのガスカートリッジの壊れやすいシールを突き刺して、前記ガスカートリッジから流出したガスを前記膨張性物品の内部に流し、当該膨張性物品を膨らませている、レシーバアセンブリ。
【請求項１２】
前記インフレータは、自動インフレータを含み、そして前記レシーバが、前記自動インフレータを前記膨張性物品の外部にさらすよう適合されており、浸水して濡れると、前記ガスカートリッジの前記壊れやすいシールを突き刺すように前記刺しピンを自動的に始動させ、それにより前記流出したガスが前記膨張性物品の内部に流れ込み、当該膨張性物品を膨らませる、請求項１１に記載のレシーバアセンブリ。
【請求項１３】
前記ロックするキーは、点検し再び取り付けるために、前記インフレータを前記レシーバの前記穴部内から取り外されるように、取り外しが可能である、請求項１１に記載のレシーバアセンブリ。
【請求項１４】
前記穴部は、対応する円筒形状のインフレータを収納するため、略円筒状の形状を有する、請求項１１に記載のレシーバアセンブリ。
【請求項１５】
前記フランジは、前記膨張性物品をヒートシールできるヒートシール可能な材料を備える、請求項１１に記載のレシーバアセンブリ。
【請求項１６】
前記穴部は、前記穴部に剛性を提供し、前記インフレータで確実に気密シールするために、硬質材料で構成された環状リングが取り付けられた縮小された直径部を備える、請求項１１に記載のレシーバアセンブリ。
【請求項１７】
前記レシーバは、前記インフレータから対応する反対側に延びる突起を収納するように前記穴部の両側で内部に延設された１対の目隠しキー溝を備えており、前記目隠しキー溝の深さは、前記インフレータが前記レシーバの前記穴部の中に挿入され、そして前記ロックキーによって所定の位置にロックされ得ることにより決定される、請求項１１に記載のレシーバアセンブリ。
【請求項１８】
前記ロックキーは、水平部と２つの垂下脚を備え、前記レシーバアセンブリは、前記水平部が着座された前記穴部の上に配置されたロックキーマウントと、対向する穴部キー溝を遮るように前記レシーバの中に延設された対向するロックキー溝とをさらに含み、前記穴部内に前記インフレータを固定するように前記垂下脚が前記穴部キー溝に延びて挿入される、請求項１１に記載のレシーバアセンブリ。
【請求項１９】
前記ロックキーの前記垂下脚の少なくとも１つは、「スナップ式装着」を実現するため、前記穴部キー溝の少なくとも１つに係合する突起物をさらに備える、請求項１１に記載のレシーバアセンブリ。
【請求項２０】
前記レシーバは、前記インフレータを覆うように細長い形状を有しており、前記フランジは、前記膨張性物品の内部に対して前記フランジの長さに沿ってシールされる細長い形状を有する、請求項１１に記載のレシーバアセンブリ。
【手続補正２】
【補正対象書類名】明細書
【補正対象項目名】００２５
【補正方法】変更
【補正の内容】
【００２５】
【図１】図１はインフレータを自在に収納するレシーバの斜視図である。
【図１Ａ】図１Ａはインフレータのガスカートリッジを覆うため、そしてその長さに沿って膨張性物品の内部にヒートシールするための細長い形状を有する細長いユニバーサルレシーバの斜視図である。
【図２】図２は膨張性物品のファブリックに取り付けられたユニバーサルレシーバを示す図１の上面斜視図である。
【図３】図３はインフレータを自在に収納するレシーバの底面斜視図である。
【図４】図４はユニバーサルレシーバの上面斜視図である。
【図４Ａ】図４Ａはユニバーサルレシーバの上面斜視図である。
【図５】図５は環状リングを収納するためのユニバーサルレシーバの底面斜視図である。
【図５Ａ】図５Ａはユニバーサルレシーバの底面斜視図である。
【図５Ｂ】図５Ｂは細長いユニバーサルレシーバの底面斜視図である。
【図６】図６はキー溝を示すユニバーサルレシーバの正面図である。
【図７】図７はロックキーを受けるためのスロットを示すユニバーサルレシーバの上面図である。
【図８】図８はユニバーサルレシーバの実施形態の底面図である。
【図８Ａ】図８Ａはユニバーサルレシーバの実施形態の底面図である。
【図８Ｂ】図８Ｂはユニバーサルレシーバの実施形態の底面図である。
【図９】図９はユニバーサルレシーバの右側面図、その鏡像である左側面図である。
【図９Ａ】図９Ａはユニバーサルレシーバの右側面図、その鏡像である左側面図である。
【図１０】図１０はユニバーサルレシーバの後端面図である。
【図１０Ａ】図１０Ａはユニバーサルレシーバの後端面図である。
【図１０Ｂ】図１０Ｂはユニバーサルレシーバの後端面図である。
【図１１】図１１はロックキーの斜視図である。
【図１２】図１２は膨張性物品のファブリック内の穴部の周囲に取り付けられたユニバーサルレシーバの上面斜視図である。
【図１３】図１３は図１２の底面斜視図である。
【図１４】図１４はインフレータの側面図である。
【図１５】図１５はインフレータの上面図である。
【図１６】図１６はその中に取り付けられたエキゾーストバルブを備えた筐体の正面斜視図である。
【図１７】図１７は図１６の背面斜視図である。
【図１８】図１８は筐体内に取り付けられたリリーフバルブの背面斜視図である。
【図１９】図１９はユニバーサルレシーバ内に取り付けられた筐体の正面斜視図である。
【図２０】図２０はユニバーサルレシーバ内に取り付けられた筐体の（反対にされた）背面斜視図である。
【手続補正３】
【補正対象書類名】明細書
【補正対象項目名】００３６
【補正方法】変更
【補正の内容】
【００３６】
図１Ａ、５Ｂ、８Ｂ及び９Ａに示すように、レシーバ１６は、代替的にガスカートリッジ３２を覆う細長いフランジ１８Ｌと細長いレシーバ１６Ｌを有する細長い構成を備えてもよい。細長いフランジ１８Ｌと細長いレシーバ１６Ｌは、ウェブ１６Ｗにより結合される。好ましくは、細長いフランジ１８Ｌは、膨張性物品１４のファブリック２４の孔２２の内部表面２０にフランジの長さの全体又はかなりの割合を占める部分に沿ってヒートシールされて、そして細長いレシーバ１６Ｌが全体又は少なくとも部分的にガスカートリッジ３２を覆う。細長いフランジ１８Ｌと細長いレシーバ１６Ｌの目的は、ガスカートリッジ３２が別の方法で左右にスライドして、そして膨張性物品１４のファブリック２４の内部表面をこすること、及び潜在的にファブリック２４内の孔をこすることを防止することである。ガスカートリッジ３２から流出したガスが膨張性物品１４に流れ込むことで、当該膨張性物品を膨らませることができるように、細長いレシーバ１６Ｌの端が開かれてもよいことに注意する。ガスカートリッジ３２から流出した空気が膨張性物品１４内に流れ込んで当該膨張性物品を膨らませるための追加の経路を提供するように、追加のガス抜き孔１６Ｈが細長いレシーバ１６Ｌの長さに沿って備えられてもよいことに注意する。
【手続補正４】
【補正対象書類名】図面
【補正対象項目名】全図
【補正方法】変更
【補正の内容】
【図１】
2013538727.tif 000001
【図１Ａ】
2013538727.tif 000002
【図２】
2013538727.tif 000003
【図３】
2013538727.tif 000004
【図４】
2013538727.tif 000005
【図４Ａ】
2013538727.tif 000006
【図５】
2013538727.tif 000007
【図５Ａ】
2013538727.tif 000008
【図５Ｂ】
2013538727.tif 000009
【図６】
2013538727.tif 000010
【図７】
2013538727.tif 000011
【図８】
2013538727.tif 000012
【図８Ａ】
2013538727.tif 000013
【図８Ｂ】
2013538727.tif 000014
【図９】
2013538727.tif 000015
【図９Ａ】
2013538727.tif 000016
【図１０】
2013538727.tif 000017
【図１０Ａ】
2013538727.tif 000018
【図１０Ｂ】
2013538727.tif 000019
【図１１】
2013538727.tif 000020
【図１２】
2013538727.tif 000021
【図１３】
2013538727.tif 000022
【図１４】
2013538727.tif 000023
【図１５】
2013538727.tif 000024
【図１６】
2013538727.tif 000025
【図１７】
2013538727.tif 000026
【図１８】
2013538727.tif 000027
【図１９】
2013538727.tif 000028
【図２０】
2013538727.tif 000029